(57)【要約】【課題】医用画像の撮影ならびに解析の結果（例えば、レポート）を編集可能であり、ひいては、医用画像を用いた効率的な治療や診断を実現させること。【解決手段】実施形態の医用画像解析結果表示装置は、所定の表示領域に再現情報として表示させる解析結果情報を指定する旨の入力を受け付けると、当該解析結果情報を解析結果情報記憶手段から読み出す。また、指定された表示領域についての状態を示す状態情報を表示端末から取得する。また、読み出された解析結果情報内の解析結果識別情報と、取得された状態情報とに関連付けられた表示方法候補情報を表示方法管理テーブル記憶手段から取得する。更に、取得された表示方法候補情報により示される表示方法にしたがって、読み出された解析結果情報を、指定された表示領域に再現情報として表示させる。【選択図】図１
2014171656.tif 000002
【特許請求の範囲】
【請求項１】
複数種類の臨床アプリケーションによる解析結果を再現した再現情報を表示端末に設けられた表示領域に表示可能な医用画像解析結果表示装置であって、
解析結果識別情報を含み、前記各解析結果を所定のレイアウトに従って配置した解析結果情報を記憶する解析結果情報記憶手段と、
前記解析結果識別情報と、所定の表示領域の状態を示す状態情報と、前記解析結果情報に関する再現情報の表示方法を規定する表示方法候補情報とが関連付けられた表示方法管理テーブルを記憶する表示方法管理テーブル記憶手段と、
操作者の操作に応じて、所定の表示領域に再現情報として表示させる解析結果情報を指定する旨の入力を受け付けると、当該指定された解析結果情報を前記解析結果情報記憶手段から読み出す解析結果読込手段と、
前記指定された表示領域についての前記状態情報を前記表示端末から取得する状態情報取得手段と、
前記読み出された解析結果情報に含まれる解析結果識別情報と、前記取得された状態情報とに関連付けられた表示方法候補情報を前記表示方法管理テーブル記憶手段から取得する表示方法候補情報取得手段と、
前記取得された表示方法候補情報により示される表示方法にしたがって、前記読み出された解析結果情報を、前記指定された表示領域に再現情報として表示させる再現情報表示手段と
を備えたことを特徴とする医用画像解析結果表示装置。
【請求項２】
前記状態情報は、所定の解析結果情報に関する再現情報を前記表示領域に表示させた回数を示す表示回数情報を含み、
前記状態情報取得手段は、
前記読み出された解析結果情報についての前記表示回数情報を前記表示端末から取得する手段を備えたことを特徴とする請求項１に記載の医用画像解析結果表示装置。
【請求項３】
前記状態情報は、所定の表示領域の直前の占有状態を示す占有状態情報を含み、
前記状態情報取得手段は、
前記指定された表示領域についての前記占有状態情報を前記表示端末から取得する手段を備えたことを特徴とする請求項１または請求項２に記載の医用画像解析結果表示装置。
【請求項４】
前記表示領域に既に表示されている再現情報が存在するか否かを判定する存在可否判定手段と、
前記存在可否判定手段による判定の結果が存在する旨を示すとき、前記読み出された解析結果情報に関する再現情報を前記指定された表示領域に表示させるときの表現方法を、前記既に表示されている再現情報の表現方法に同期させる同期手段と
を更に備えたことを特徴とする請求項１乃至請求項３のいずれか１項に記載の医用画像解析結果表示装置。
【請求項５】
前記記憶された各解析結果情報を再現情報として表示させる表示領域の位置と、当該再現情報を当該表示領域に表示させるときの表示方法とを予め規定し、疾病ならびに診断ワークフローの段階に応じた複数種類の表示領域のレイアウトを示すレイアウト情報を記憶するレイアウト情報記憶手段と、
操作者の操作に応じて、前記各レイアウト情報のうちの１つが指定されると、当該指定されたレイアウト情報により示されるレイアウトに規定された表示領域の位置と表示方法とにしたがって再現情報を表示させるよう前記再現情報表示手段に指示する再現情報表示指示手段と
を更に備えたことを特徴とする請求項１乃至請求項４のいずれか１項に記載の医用画像解析結果表示装置。
【発明の詳細な説明】
【技術分野】
【０００１】
本発明の実施形態は、医用画像解析結果表示装置に関する。
【背景技術】
【０００２】
医療現場において、複数種類の医用画像診断装置（モダリティ）によって撮影された医用画像を治療や診断等に活用する場合、まず、医用画像を必要とする診療科が、医用画像を撮影可能な放射線科等に医用画像の撮影を依頼する。
【０００３】
放射線科は、診療科からの依頼を受けると診療科からの依頼に従って、必要とされる医用画像の撮影ならびに撮影された医用画像の解析を行う。その後、放射線科は、前述したような撮影及び解析の結果をレポートとして診療科に返信する。
【０００４】
診療科は、放射線科から返信されたレポートを受けると、当該レポートをインタラクティブに表示条件を変更可能な画像ビューア等に表示させ、治療や診断等に適宜活用する。
【先行技術文献】
【特許文献】
【０００５】
【特許文献１】特許第５０３８６４３号公報
【発明の概要】
【発明が解決しようとする課題】
【０００６】
しかしながら、従来は、診療科では放射線科から返信されたレポートをビューアに表示させることしかできない、即ち、当該レポートの編集を行うことができないため、依頼時に細かな要求が放射線科に伝わっていない場合、再度、医用画像の撮影ならびに解析を依頼する必要があり、非効率であるという不都合がある。
【０００７】
目的は、医用画像の撮影ならびに解析の結果（例えば、レポート）を編集可能であり、ひいては、医用画像を用いた効率的な治療や診断を実現し得る医用画像解析結果表示装置を提供することである。
【課題を解決するための手段】
【０００８】
実施形態の医用画像解析結果表示装置は、複数種類の臨床アプリケーションによる解析結果を再現した再現情報を表示端末に設けられた表示領域に表示可能である。
【０００９】
前記医用画像解析結果表示装置は、解析結果情報記憶手段、表示方法管理テーブル記憶手段、解析結果読込手段、状態情報取得手段、表示方法候補情報取得手段及び再現情報表示手段を備えている。
【００１０】
前記解析結果情報記憶手段は、解析結果識別情報を含み、前記各解析結果を所定のレイアウトに従って配置した解析結果情報を記憶する。
【００１１】
前記表示方法管理テーブル記憶手段は、前記解析結果識別情報と、所定の表示領域の状態を示す状態情報と、前記解析結果情報に関する再現情報の表示方法を規定する表示方法候補情報とが関連付けられた表示方法管理テーブルを記憶する。
【００１２】
前記解析結果読込手段は、操作者の操作に応じて、所定の表示領域に再現情報として表示させる解析結果情報を指定する旨の入力を受け付けると、当該指定された解析結果情報を前記解析結果情報記憶手段から読み出す。
【００１３】
前記状態情報取得手段は、前記指定された表示領域についての前記状態情報を前記表示端末から取得する。
【００１４】
前記表示方法候補情報取得手段は、前記読み出された解析結果情報に含まれる解析結果識別情報と、前記取得された状態情報とに関連付けられた表示方法候補情報を前記表示方法管理テーブル記憶手段から取得する。
【００１５】
前記再現情報表示手段は、前記取得された表示方法候補情報により示される表示方法にしたがって、前記読み出された解析結果情報を、前記指定された表示領域に再現情報として表示させる。
【図面の簡単な説明】
【００１６】
【図１】一実施形態に係る医用画像解析結果表示装置の構成例を示す模式図である。
【図２】同実施形態に係る解析結果情報の一例を示す模式図である。
【図３】同実施形態に係る解析結果リストの一例を示す模式図である。
【図４】同実施形態に係る表示方法管理テーブルの一例を示す模式図である。
【図５】同実施形態に係る医用画像解析結果表示装置の動作の一例を示すフローチャートである。
【図６】図５に示すフローチャートを補足的に説明するための模式図である。
【図７】図５に示すフローチャートを補足的に説明するための模式図である。
【図８】図５に示すフローチャートを補足的に説明するための模式図である。
【図９】図５に示すフローチャートを補足的に説明するための模式図である。
【図１０】図５に示すフローチャートを補足的に説明するための模式図である。
【図１１】同実施形態に係る医用画像解析結果表示装置により生成される疾病や診断ワークフローの段階に応じたレイアウトの一例を示す模式図である。
【発明を実施するための形態】
【００１７】
以下、図１乃至図１１を参照しながら、一実施形態について説明する。
【００１８】
図１は一実施形態に係る医用画像解析結果表示装置の構成例を示す模式図である。医用画像解析結果表示装置は、所望の表示端末に予めインストールされたアプリケーションを用いてＶｉｅｗ（所望の表示端末の表示領域の一部）に再現情報を表示させるための装置であり、例えば図１に示すように、解析結果関連情報記憶部１、表示方法管理テーブル記憶部２、レイアウト設定部３、解析結果指定部４、解析結果表示位置指定部５、解析結果読込部６、解析結果表示回数確認部７、Ｖｉｅｗ状態確認部８、画像読込部９、解剖学的情報読込部１０、Ｖｉｅｗ同期情報決定部１１、解析結果表示方法決定部１２、表示Ｖｉｅｗ生成部１３、表示画面生成部１４及び画像出力部１５を備えている。以下に、医用画像解析結果表示装置を構成する各部１乃至１５の詳細な機能について説明する。
【００１９】
解析結果関連情報記憶部１は、臨床アプリケーション種類情報、解析結果情報（レポート情報）、原画像情報及び解剖学的情報からなる複数の解析結果関連情報を記憶する記憶装置である。
【００２０】
臨床アプリケーション種類情報は、複数種類の臨床アプリケーション（以下、単に臨床アプリと表記）の種類（名称）を示す情報である。この臨床アプリケーション種類情報により示される臨床アプリとしては、例えば、ＣＴ（Computed Tomography）冠動脈解析アプリ、ＣＴ心機能解析アプリ、ＭＲ（Magnetic Resonance）パフュージョン解析アプリ等がある。
【００２１】
解析結果情報は、当該解析結果情報を識別するための解析結果識別情報を含み、例えば図２（ａ）乃至（ｃ）に示すように、各臨床アプリを使用して実行した解析処理によって得られた解析結果を所定の表示レイアウトに従って配置した情報（解析結果情報（レポート情報）ｒ１乃至ｒ３）である。なお、解析結果識別情報は、例えば、解析結果の種類（以下、解析結果種と表記）を示し、所定の表示レイアウトは臨床アプリ毎に設定されているものとする。
【００２２】
原画像情報は、各臨床アプリによる解析処理時に使用された医用画像（原画像）を示す情報である。
【００２３】
解剖学的情報は、各臨床アプリによる解析処理の対象を示す情報であり、この解剖学的情報により示される対象としては、例えば、冠動脈芯線、冠動脈狭窄、ＬＶ（Left Ventricle）領域等がある。
【００２４】
なお、どのような解析結果関連情報が解析結果関連情報記憶部１に記憶されているかを操作者（ユーザ）に対して提示するために、医用画像解析結果表示装置は、所望の表示端末の表示領域に、例えば図３（ａ），（ｂ）に示すような解析結果リスト（Findingsリスト）ｆ１，ｆ２を表示させる。この解析結果リストｆ１，ｆ２は、解析結果情報に含まれる解析結果識別情報により示される解析結果種を示す複数のアイコンにより構成される。
【００２５】
表示方法管理テーブル記憶部２は、例えば図４に示すように、解析結果識別情報、表示方法候補情報、Ｖｉｅｗ直前状態情報及び表示回数情報が関連付けられた表示方法管理テーブルｔ１を記憶する記憶装置である。
【００２６】
解析結果識別情報は、前述したように、解析結果情報を識別するために解析結果種を示す情報であり、この解析結果識別情報により示される解析結果種としては、例えば、ＣＴ冠動脈狭窄率、プラーク性状、ＣＴ心筋厚変化量、ＬＶ駆出率、ＭＲ心筋血流量等がある。但し、解析結果識別情報により示される解析結果種は、特にこれらに限定されるものではない。
【００２７】
表示方法候補情報は、再現情報をＶｉｅｗに表示させる時の表示方法を規定する情報であり、この表示方法候補情報により規定される表示方法としては、例えば、ＳＶＲ（Shaded Volume Rendering）、Ｈｙｂｒｉｄ Ｆｕｓｉｏｎ、ＣＰＲ（Curved MPR(Multi Planar Reconstruction)）、ＳＰＲ（Strained MPR）、Ｃｒｏｓｓｃｕｔ、Ｐｏｌａｒ Ｍａｐ及びこれらの組み合わせ等がある。但し、表示方法候補情報により規定される表示方法は、特にこれらに限定されるものではない。
【００２８】
Ｖｉｅｗ直前状態情報（占有状態情報）は、Ｖｉｅｗの直前の占有状態を示す情報である。占有状態とは、Ｖｉｅｗにどのような再現情報が表示されているのかを示し、具体的には、Ｖｉｅｗに何も表示されていない第１状態（Blank View）、Ｖｉｅｗに機能解析に関する再現情報が表示されている第２状態、Ｖｉｅｗに構造解析に関する再現情報が表示されている第３状態のいずれかの状態である。
【００２９】
表示回数情報は、解析結果関連情報に関する再現情報（即ち、解析結果関連情報に含まれる解析結果情報により示される解析結果を再現した情報）をＶｉｅｗに表示させた回数を示す情報である。
【００３０】
なお、Ｖｉｅｗ直前状態情報及び表示回数情報は、Ｖｉｅｗの状態を示す状態情報の一例であり、この状態情報は、Ｖｉｅｗの状態に関する情報であれば良く、前述したＶｉｅｗ直前状態情報や表示回数情報に特に限定されるものではない。
【００３１】
なお、解析結果関連情報記憶部１及び表示方法管理テーブル記憶部２は、医用画像解析結果表示装置に接続する外部端末として設けられても良い。
【００３２】
レイアウト設定部３は、所望の表示端末の表示領域の一部に設けられるＶｉｅｗのレイアウト（例えば、Ｖｉｅｗの個数や各Ｖｉｅｗの初期状態等）を設定する機能を有する。
【００３３】
解析結果指定部４は、図示しない入力端末（例えば、マウス、キーボード、タッチパネル等）を介した操作者の操作により、解析結果関連情報記憶部１に記憶された複数の解析結果関連情報のうち、再現情報としてＶｉｅｗに表示させたい解析結果情報を含む解析結果関連情報を指定（選択）する旨の入力を受け付けると、当該指定された解析結果関連情報を解析結果関連情報記憶部１から読み出すよう解析結果読込部６に指示する機能を有する。具体的には、解析結果指定部４は、所望の表示端末の表示領域に表示された解析結果リストを構成する複数のアイコンのうちの１つを指定する旨の入力を受け付けると、当該指定されたアイコンにより示される解析結果種を示す解析結果識別情報を含む解析結果情報を有した解析結果関連情報を解析結果関連情報記憶部１から読み出すよう解析結果読込部６に指示する。なお、解析結果リストを構成する複数のアイコンのうちの１つを指定する手法としては、例えば、アイコンをクリックする手法等がある。
【００３４】
解析結果表示位置指定部５は、図示しない入力端末を介した操作者の操作により、再現情報を表示させるＶｉｅｗを指定する旨の入力を受け付けると、当該指定されたＶｉｅｗの占有状態を確認するようＶｉｅｗ状態確認部８に指示すると共に、当該指定されたＶｉｅｗに再現情報を配置した表示画面を生成するよう表示画面生成部１４に指示する機能を有する。なお、再現情報を表示させるＶｉｅｗを指定する手法としては、例えば、解析結果リストを構成するアイコンを所望のＶｉｅｗにドラッグ＆ドロップする手法等がある。
【００３５】
解析結果読込部６は、解析結果指定部４からの指示を受けると、当該指示により指定された解析結果関連情報を解析結果関連情報記憶部１から読み出す。また、解析結果読込部６は、前述のようにして読み出した解析結果関連情報に含まれる解析結果情報を抽出する（読み込む）。更に、解析結果読込部６は、前述のようにして抽出した解析結果情報を解析結果表示方法決定部１２及び表示Ｖｉｅｗ生成部１３に出力する。
【００３６】
解析結果表示回数確認部７は、解析結果読込部６により解析結果関連情報が読み出されると、当該読み出された解析結果関連情報に関する再現情報がＶｉｅｗに表示された回数を示す表示回数情報を（所望の表示端末に予めインストールされたアプリケーションの一機能である）図示しないカウンタ等を用いて取得する。解析結果表示回数確認部７は、図示しないカウンタを用いて表示回数情報を取得すると、当該取得した表示回数情報を解析結果表示方法決定部１２に出力する。
【００３７】
Ｖｉｅｗ状態確認部８は、解析結果表示位置指定部５からの指示を受けると、当該指示により指定されたＶｉｅｗの現在の占有状態を示す占有状態情報を所望の表示端末に予めインストールされたアプリケーションを用いて取得する。Ｖｉｅｗ状態確認部８は、前述のようにして取得した占有状態情報を解析結果表示方法決定部１２に出力する。
【００３８】
画像読込部９は、解析結果読込部６により解析結果関連情報が読み出されると、当該読み出された解析結果関連情報に含まれる原画像情報を抽出し（読み込み）、当該抽出した原画像情報を表示Ｖｉｅｗ生成部１３に出力する機能を有する。
【００３９】
解剖学的情報読込部１０は、解析結果読込部６により解析結果関連情報が読み出されると、当該読み出された解析結果関連情報に含まれる解剖学的情報を抽出し（読み込み）、当該抽出した解剖学的情報をＶｉｅｗ同期情報決定部１１に出力する機能を有する。
【００４０】
Ｖｉｅｗ同期情報決定部１１は、表示Ｖｉｅｗ生成部１３により生成される再現情報の一部の表現方法を、既にＶｉｅｗに表示されている再現情報の表現方法に同期させる機能を有する。具体的には、以下の各機能(f11-1)乃至(f11-4)を有している。
【００４１】
(f11-1)解剖学的情報読込部１０から出力された解剖学的情報の入力を受け付けると、既にＶｉｅｗに表示されている再現情報が存在するか否かを判定する機能（但し、レイアウト設定部３によりＶｉｅｗが複数個に分割されている場合に限る）。
【００４２】
(f11-2)上記(f11-1)の機能による判定の結果が存在する旨を示すとき、既にＶｉｅｗに表示されている再現情報に関する解析結果関連情報を解析結果関連情報記憶部１から読み出し、当該読み出した解析結果関連情報に含まれる解剖学的情報を抽出する機能。
【００４３】
(f11-3)上記(f11-1)の機能により入力を受け付けた解剖学的情報により示される対象と、上記(f11-2)の機能により抽出された解剖学的情報により示される対象とが共通（一致）しているか否かを判定する機能。
【００４４】
(f11-4)上記(f11-3)の機能による判定の結果が共通している旨を示すとき、表示Ｖｉｅｗ生成部１３により生成される再現情報に関して、当該共通する対象の表現方法を既にＶｉｅｗに表示されている再現情報の表現方法にあわせる（同期させる）よう表示Ｖｉｅｗ生成部１３に指示する機能（例えば、既にＶｉｅｗに表示されている再現情報において冠動脈芯線や冠動脈狭窄が強調表示されている場合、冠動脈芯線や冠動脈狭窄を強調表示するようにして再現情報を生成するよう表示Ｖｉｅｗ生成部１３に指示する）。
【００４５】
なお、Ｖｉｅｗ同期情報決定部１１は、前述した冠動脈芯線や冠動脈狭窄等を示す解剖学的情報とは別に、例えば、既にＶｉｅｗに表示されている再現情報の拡大倍率等を解剖学的情報として扱うことも可能である。即ち、Ｖｉｅｗ同期情報決定部１１は、既にＶｉｅｗに表示されている再現情報の拡大倍率にあわせるようにして再現情報を生成するよう表示Ｖｉｅｗ生成部１３に指示することも可能である。
【００４６】
解析結果表示方法決定部１２は、解析結果読込部６から出力された解析結果情報と、解析結果表示回数確認部７から出力された表示回数情報と、Ｖｉｅｗ状態確認部８から出力された占有状態情報との入力を受け付けると、当該解析結果情報に含まれる解析結果識別情報により示される解析結果種と、当該表示回数情報により示される表示回数と、当該占有状態情報により示される占有状態とに関連付けられた表示方法候補情報を表示方法管理テーブル記憶部２から取得する、即ち、どのような表示方法で再現情報をＶｉｅｗに表示させるかを決定する。また、解析結果表示方法決定部１２は、前述のようにして取得した表示方法候補情報を表示Ｖｉｅｗ生成部１３に出力する、即ち、前述のようにして決定した表示方法で表現された再現情報を生成するよう表示Ｖｉｅｗ生成部１３に指示する。
【００４７】
表示Ｖｉｅｗ生成部１３は、Ｖｉｅｗに表示させる再現情報を生成する機能を有しており、具体的には、以下の各機能(f13-1)乃至(f13-3)の機能を有している。
【００４８】
(f13-1)解析結果読込部６から出力された解析結果情報と、画像読込部９から出力された原画像情報との入力を受け付ける機能。
【００４９】
(f13-2)解析結果表示方法決定部１２から出力された表示方法候補情報の入力を受け付けると、上記(f13-1)の機能により入力を受け付けた解析結果情報により示される解析結果のうち、当該入力を受け付けた表示方法候補情報により示される表示方法で表現された解析結果と、上記(f13-1)の機能により入力を受け付けた原画像情報により示される医用画像とを使用して再現情報を生成する機能。
【００５０】
但し、解析結果表示方法決定部１２から出力された表示方法候補情報と共に、Ｖｉｅｗ同期情報決定部１１からの指示を受けている場合、表示Ｖｉｅｗ生成部１３は、上記(f13-1)の機能により入力を受け付けた解析結果情報により示される解析結果のうち、解析結果表示方法決定部１２から出力された表示方法候補情報により示される表示方法で表現された解析結果と、上記(f13-1)の機能により入力を受け付けた原画像情報により示される医用画像とを使用して、また、Ｖｉｅｗ同期情報決定部１１からの指示により指定された対象の表現方法を既にＶｉｅｗに表示されている再現情報の表現方法に同期させるようにして再現情報を生成する。
【００５１】
なお、上記(f13-2)の機能は、以下に示す機能(f13-2’)と適宜代替可能である。
【００５２】
(f13-2’)解析結果表示方法決定部１２から出力された表示方法候補情報の入力を受け付けると、上記(f13-1)の機能により入力を受け付けた解析結果情報により示される解析結果のうち、当該入力を受け付けた表示方法候補情報により示される表示方法で表現された解析結果を再現情報として生成する機能。
【００５３】
(f13-3)上記(f13-2)の機能により生成された再現情報を表示画面生成部１４に出力する機能。
【００５４】
表示画面生成部１４は、表示Ｖｉｅｗ生成部１３から出力された再現情報の入力を受け付けると、解析結果表示位置指定部５からの指示に従って、当該入力を受け付けた再現情報を当該指示により指定されたＶｉｅｗに配置した表示画面を示す表示画面情報を生成する。表示画面生成部１４は、前述のようにして生成した表示画面情報を画像出力部１５に出力する。
【００５５】
画像出力部１５は、表示画面生成部１４から出力された表示画面情報の入力を受け付けると、当該入力を受け付けた表示画面情報を所望の表示端末に表示させる（出力する）。
【００５６】
所望の表示端末は、画像出力部１５から出力された表示画面情報の入力を受け付けると、当該表示端末内に予めインストールされたアプリケーションを使用して再現情報を表示させる。
【００５７】
次に、以上のように構成された医用画像解析結果表示装置の動作の一例について、図５のフローチャートと、図２，４，６，７の模式図とを参照しながら説明する。本動作例では、所望の表示端末の表示領域に設けられたＶｉｅｗが図６に示す状態（画面ｇ１）から図７に示す状態（画面ｇ２）に遷移するまでの具体的な処理について説明する。
【００５８】
始めに、解析結果指定部４は、操作者の操作に応じて、所望の表示端末の表示領域に表示された解析結果リストｆ１を構成する複数のアイコンのうち、図６に示す「ＣＴ冠動脈狭窄率２」のアイコンを指定する旨の入力を受け付けると、当該指定されたアイコン「ＣＴ冠動脈狭窄率２」を示す解析結果識別情報を含む解析結果情報を有した解析結果関連情報を解析結果関連情報記憶部１から読み出すよう解析結果読込部６に指示する（ステップＳ１）。
【００５９】
続いて、解析結果表示位置指定部５は、操作者の操作に応じて、再現情報を表示させるＶｉｅｗを指定する旨の入力を受け付けると、当該指定されたＶｉｅｗの占有状態を確認するようＶｉｅｗ状態確認部８に指示すると共に、当該指定されたＶｉｅｗに再現情報を配置した表示画面を生成するよう表示画面生成部１４に指示する（ステップＳ２）。本動作例では、図６に示すように、「ＣＴ冠動脈狭窄率２」のアイコンが左上のＶｉｅｗにドラッグ＆ドロップされているので、再現情報の表示位置として左上のＶｉｅｗが指定されたことになる。
【００６０】
次に、解析結果読込部６は、解析結果指定部４からの指示を受けると、当該指示により指定された「ＣＴ冠動脈狭窄率２」を解析結果識別情報として含む解析結果情報を有した解析結果関連情報を解析結果関連情報記憶部１から読み出した後に、当該読み出した解析結果関連情報に含まれる解析結果情報を抽出する（ステップＳ３）。本動作例では、例えば図２（ｂ）に示すような解析結果を示す解析結果情報ｒ２が抽出されたものとする。なお、ステップＳ３の処理により抽出された解析結果情報は、解析結果表示方法決定部１２と表示Ｖｉｅｗ生成部１３とに適宜出力される。
【００６１】
続いて、解析結果表示回数確認部７は、解析結果読込部６により解析結果関連情報が読み出されると、当該読み出された解析結果関連情報に関する再現情報がＶｉｅｗに表示された回数を示す表示回数情報を図示しないカウンタから取得する（ステップＳ４）。本動作例では、初期状態が図６に示す状態（即ち、全てのＶｉｅｗが第１状態）であるため、取得した表示回数情報により示される表示回数は「０」を示す。なお、ステップＳ４の処理により取得された表示回数情報は、解析結果表示方法決定部１２に適宜出力される。
【００６２】
次に、Ｖｉｅｗ状態確認部８は、解析結果表示位置指定部５からの指示を受けると、当該指示により指定された左上のＶｉｅｗの占有状態を示す占有状態情報を所望の表示端末に予めインストールされたアプリケーションから取得する（ステップＳ５）。本動作例では、前述したように、初期状態が図６に示す状態であるため、取得した占有状態情報により示される左上のＶｉｅｗの占有状態は「第１状態」を示す。なお、ステップＳ５の処理により取得された占有状態情報は、解析結果表示方法決定部１２に適宜出力される。
【００６３】
続いて、画像読込部９及び解剖学的情報読込部１０は、解析結果読込部６により解析結果関連情報が読み出されると、当該読み出された解析結果関連情報に含まれる原画像情報と解剖学的情報とをそれぞれ抽出する（ステップＳ６）。なお、ステップＳ６の処理により抽出された原画像情報は表示Ｖｉｅｗ生成部１３に、解剖学的情報はＶｉｅｗ同期情報決定部１１に適宜出力される。
【００６４】
次に、Ｖｉｅｗ同期情報決定部１１は、解剖学的情報読込部１０から出力された解剖学的情報の入力を受け付けると、既にＶｉｅｗに表示されている再現情報が存在するか否かを判定する（ステップＳ７）。なお、ステップＳ７の判定処理による結果が否を示す場合（ステップＳ７のＮｏ）には、後述するステップＳ１０の処理に進む。本動作例では、前述したように、初期状態が図６に示す状態であるため、既にＶｉｅｗに表示されている再現情報は存在しないとして、後述するステップＳ１０の処理に進む。
【００６５】
ステップＳ７の判定処理による結果が存在する旨を示す場合（ステップＳ７のＹｅｓ）には、Ｖｉｅｗ同期情報決定部１１は、既にＶｉｅｗに表示されている再現情報に関する解析結果関連情報を解析結果関連情報記憶部１から読み出した後に、当該読み出した解析結果関連情報に含まれる解剖学的情報を抽出する。その後、Ｖｉｅｗ同期情報決定部１１は、ステップＳ７の処理により入力を受け付けた解剖学的情報により示される対象と、当該抽出した解剖学的情報により示される対象とが共通しているか否かを判定する（ステップＳ８）。なお、ステップＳ８の判定処理による結果が否を示す場合（ステップＳ８のＮｏ）には、後述するステップＳ１０の処理に進む。
【００６６】
ステップＳ８の判定処理による結果が共通している旨を示す場合（ステップＳ８のＹｅｓ）には、Ｖｉｅｗ同期情報決定部１１は、ステップＳ８の処理により共通していると判定された対象の表現方法を既にＶｉｅｗに表示されている再現情報の表現方法に同期させるよう表示Ｖｉｅｗ生成部１３に指示する（ステップＳ９）。
【００６７】
続いて、解析結果表示方法決定部１２は、解析結果読込部６から出力された解析結果情報と、解析結果表示回数確認部７から出力された表示回数情報と、Ｖｉｅｗ状態確認部８から出力された占有状態情報との入力を受け付けると、当該解析結果情報ｒ２に含まれる解析結果識別情報により示される解析結果種「ＣＴ冠動脈狭窄率２」と、当該表示回数情報により示される表示回数「０」と、当該占有状態情報により示される占有状態「第１状態」とに関連付けられた表示方法候補情報「ＳＶＲ」を表示方法管理テーブル記憶部２から取得する（ステップＳ１０）。なお、ステップＳ１０の処理により取得された表示方法候補情報は、表示Ｖｉｅｗ生成部１３に適宜出力される。
【００６８】
次に、表示Ｖｉｅｗ生成部１３は、解析結果読込部６から出力された解析結果情報と、画像読込部９から出力された原画像情報との入力を受け付ける。その後、表示Ｖｉｅｗ生成部１３は、解析結果表示方法決定部１２から出力された表示方法候補情報の入力を受け付けると、当該入力を受け付けた解析結果情報ｒ２により示される解析結果のうち、当該入力を受け付けた表示方法候補情報により示される表示方法「ＳＶＲ」で表現された解析結果と、当該入力を受け付けた原画像情報により示される医用画像とを使用して再現情報を生成する（ステップＳ１１）。なお、ステップＳ１１の処理により生成された再現情報は、表示画面生成部１４に適宜出力される。
【００６９】
但し、ステップＳ９の処理によりＶｉｅｗ同期情報決定部１１からの指示を受けている場合、表示Ｖｉｅｗ生成部１３は、当該指示により指定された対象の表現方法を既にＶｉｅｗに表示されている再現情報の表現方法に同期させるようにして再現情報を生成する。
【００７０】
続いて、表示画面生成部１４は、表示Ｖｉｅｗ生成部１３から出力された再現情報の入力を受け付けると、ステップＳ２の処理による解析結果表示位置指定部５からの指示に従って、当該入力を受け付けた再現情報を左上のＶｉｅｗに配置した表示画面を示す表示画面情報を生成する（ステップＳ１２）。なお、ステップＳ１２の処理により生成された表示画面情報は、画像出力部１５に適宜出力される。
【００７１】
しかる後、画像出力部１５は、表示画面生成部１４から出力された表示画面情報の入力を受け付けると、当該入力を受け付けた表示画面情報を所望の表示端末に出力し（ステップＳ１３）、本動作例は終了する。これにより、所望の表示端末には図７に示す画面ｇ２が表示される。
【００７２】
上記説明したステップＳ１乃至Ｓ１３の処理が繰り返し実行されることで、Ｖｉｅｗの状態は動的に遷移する。例えば、図７に示すように、上段の真ん中のＶｉｅｗに解析結果リストｆ１を構成する「ＣＴ冠動脈狭窄率２」のアイコンが更にドラッグ＆ドロップされると、Ｖｉｅｗの状態は、図７に示す状態（画面ｇ２）から図８に示す状態（画面ｇ３）に遷移する。また、図８に示すように、下段の真ん中のＶｉｅｗに解析結果リストｆ２を構成する「心筋血流量３」のアイコンが更にドラッグ＆ドロップされると、Ｖｉｅｗの状態は、図８に示す状態（画面ｇ３）から図９に示す状態（画面ｇ４）に遷移する。更に、図９に示すように、左上のＶｉｅｗに解析結果リストｆ２を構成する「心筋血流量３」のアイコンが更にドラッグ＆ドロップされると、Ｖｉｅｗの状態は図９に示す状態（画面ｇ４）から図１０に示す状態（画面ｇ５）に遷移する。
【００７３】
なお、本実施形態では、操作者の操作に応じて指定された位置のＶｉｅｗに、操作者の操作に応じて指定された解析結果関連情報に関する再現情報を、当該指定された解析結果関連情報に含まれる解析結果情報内の解析結果識別情報により示される解析結果種と、当該指定された解析結果関連情報に関する再現情報をＶｉｅｗに表示させた回数と、当該指定された位置のＶｉｅｗの直前の状態とに基づいて決定された表示方法で表示させるとしたが、操作者に対して再現情報を提示する手法は特にこれに限定されるものでない。例えば、図１１に示すように、再現情報の表示位置や表示方法を予め規定した、疾病や診断ワークフローの段階に応じた複数種類のレイアウトを示すレイアウト情報ｌ１乃至ｌ３を事前に生成し、図示しないレイアウト情報記憶部等に記憶しておくことで、操作者の操作に応じて指定されたレイアウトに予め規定された表示位置や表示方法に従って、所望の解析結果関連情報に関する再現情報をＶｉｅｗに表示させるとしても良い。これにより、操作者に対して、再現情報を表示させたいＶｉｅｗの位置等を指定させることなく、表示させたい再現情報をＶｉｅｗに表示させることができる。
【００７４】
以上説明した一実施形態によれば、医用画像の撮影ならびに解析の結果（例えば、レポート）を編集可能であり、ひいては、医用画像を用いた効率的な治療や診断を実現し得る医用画像解析結果表示装置を提供することができる。
【００７５】
換言すると、複数種類の臨床アプリによる解析処理の結果を一覧性良く、また、自由度高く表示（再現）させることが可能であり、更には、表示された複数の再現情報の表現方法を同期させる等、インタラクティブな操作が可能であるため、医用画像を用いた効率的な治療や診断を実現させることができる。
【００７６】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７７】
１…解析結果関連情報記憶部、２…表示方法管理テーブル記憶部、３…レイアウト設定部、４…解析結果指定部、５…解析結果表示位置指定部、６…解析結果読込部、７…解析結果表示回数確認部、８…Ｖｉｅｗ状態確認部、９…画像読込部、１０…解剖学的情報読込部、１１…Ｖｉｅｗ同期情報決定部、１２…解析結果表示方法決定部、１３…表示Ｖｉｅｗ生成部、１４…表示画面生成部、１５…画像出力部、ｆ１，ｆ２…解析結果リスト、ｇ１，ｇ２，ｇ３，ｇ４，ｇ５…画面、ｌ１，ｌ２，ｌ３…レイアウト情報、ｒ１，ｒ２，ｒ３…解析結果情報、ｔ１…表示方法管理テーブル。
【図１】
2014171656.tif 000003
【図２】
2014171656.tif 000004
【図３】
2014171656.tif 000005
【図４】
2014171656.tif 000006
【図５】
2014171656.tif 000007
【図６】
2014171656.tif 000008
【図７】
2014171656.tif 000009
【図８】
2014171656.tif 000010
【図９】
2014171656.tif 000011
【図１０】
2014171656.tif 000012
【図１１】
2014171656.tif 000013